(57)【要約】【課題】二段階開放型ハンドル装置において、操作ハンドルにより操作軸を軸心回りに回転させたときに、受座本体と操作ハンドルとの間で操作軸を覆うカバー部材のアームが、破損しにくいようにする。【解決手段】扉Ｄに固着された受座本体２０と操作軸３０の前端部に軸線方向と直交する方向にピン６５により回動可能に軸支された操作ハンドル６０との間に設けられたカバー部材７０には、操作ハンドル６０側に突出して側部に係合突部７３，７３が設けられたアーム７２，７２を設け、操作ハンドル６０には、カバー部材７０側にアーム７２，７２が挿入されるアーム挿入凹部６７，６７と、このアーム挿入凹部６７，６７の側壁に係合突部７３，７３が案内係合されるピン６５を中心とする円弧形のガイド溝６７ａ，６７ａとを設けている。カバー部材７０はアーム７２，７２の係合突部７３，７３が操作ハンドルのアーム挿入凹部６７，６７に形成したガイド溝６７ａ，６７ａに沿って案内係合されている。【選択図】図３
2010090625.tif 000002
【特許請求の範囲】
【請求項１】
枠体の開口に開閉自在に設けられた扉の前面に固着された受座本体と、
前記受座本体に設けた軸孔に前後方向に移動可能かつ回転可能に挿通された操作軸と、
前記操作軸の前端部に軸線方向と直交する方向にピンにより回動可能に軸支されて、前記受座本体側に前記ピンを中心とした円弧形の摺動面部を備えた操作ハンドルと、
前記受座本体の前面に設けられて第１段面とこの第１段面に対して後退した第２段面とを備えたカム部材と、
前記操作ハンドルの前記操作軸が挿入される操作軸挿入孔の両側で前記受座本体側に突出して設けられて前記操作ハンドルをピンを中心として回動させて前記第１段面に当接させたときに前記操作軸を前進位置にして前記第２段面に当接させたときに前記操作軸を後退位置にする突起部と、
前記受座本体と前記操作ハンドルとの間に設けられ、前記操作ハンドルの対向面側に前記操作ハンドルの摺動面部と摺動可能に当接する円弧形の案内面部を備えて前記ピンを中心に前記操作ハンドルに対して回動可能に支持され、前記操作軸とともに前記前進位置と後退位置との間で前後方向に移動可能に支持されたカバー部材と、
前記操作軸の後端に設けられて前記枠体に設けられた受金部材と係止して前記扉の開放を阻止する止金部材とを備えて、
前記操作ハンドルの突起部を前記カム部材の第１段面に当接させて前記操作軸を前進位置にすることで前記止金部材を前記受金部材に係止させて前記扉を開放不可状態とし、
この扉の開放不可状態から前記操作ハンドルを前記ピンを中心として回動させて前記突起部を前記カム部材の第２段面に当接させると前記操作軸が前記後退位置まで後退することで前記止金部材が前記受金部材から離れて前記扉が部分的に開放できる部分開放可能状態となり、
この扉の部分開放可能状態では前記操作軸が軸線回りに回転可能となりこの部分開放可能状態から前記操作ハンドルにより前記操作軸を軸線回りに回転させることで前記止金部材が前記受金部材から外れた位置となって前記扉が全開放可能状態となる二段階開放型ハンドル装置において、
前記カバー部材には前記操作ハンドル側に突出して側部に係合突部が設けられたアームと、
前記操作ハンドルには、前記カバー部材側に前記アームが挿入されるアーム挿入凹部と、このアーム挿入凹部の側壁に前記係合突部が案内係合される前記ピンを中心とする円弧形のガイド溝とを設けたことを特徴とする二段階開放型ハンドル装置。
【請求項２】
請求項１に記載の二段階開放型ハンドル装置において、
前記カム部材は前記操作軸とともに軸線回りに回転するように支持され、
前記カバー部材の案内面部には前記カム部材が相対回転不能に嵌合可能な開口部を設け、前記部分開放可能状態となると前記カバー部材の開口部に前記カム部材が嵌合されて前記操作軸の軸線回りの回転が前記カム部材を介して前記カバー部材に伝達されるようにしたことを特徴とする二段階開放型ハンドル装置。
【請求項３】
請求項１または請求項２に記載の二段階開放型ハンドル装置において、
前記操作ハンドルには、前記操作軸挿入孔の前記ピンと平行となる両側で前記カバー部材側から前記突起部を通ることなく前記ピンを通るように形成された係止凹部と、前記ピンの半径方向の両側となる位置から前記ピンと平行に形成されて前記係止凹部と連通する一対の脚部挿入孔と、
前記操作ハンドルの前記ピンの軸線方向の端部となる位置に設けられて、前記ピンの軸線方向の端部を覆うカバー部と、このカバー部から前記脚部挿入孔に延びる一対の脚部と、これら脚部の先端部に形成されて前記係止凹部に係止されて前記脚部が抜け止めされる係止突部とを備えた前記ピンの抜け止めのためのカバーキャップとを設けたことを特徴とする二段階開放型ハンドル装置。
【発明の詳細な説明】
【技術分野】
【０００１】
本発明は、スチームコンベクションオーブン等に用いる二段階開放型ハンドル装置に関する。
【背景技術】
【０００２】
特許文献１には、スチームコンベクションオーブンに用いる二段階開放型ハンドル装置が開示されており、この二段階開放型ハンドル装置は、枠体の開口に開閉自在に設けられた扉の前面に固着された受座本体と、受座本体に設けた軸孔に前後方向に移動可能かつ回転可能に挿通された操作軸と、操作軸の前端部に軸線方向と直交する方向にピンにより回動可能に軸支された操作ハンドルと、受座本体の前面に設けられて第１段面とこの第１段面に対して後退した第２段面とを備えたカム部材と、操作ハンドルの受座本体側に突出して設けられて操作ハンドルをピンを中心として回動させて第１段面に当接させたときに操作軸を前進位置にして第２段面に当接させたときに操作軸を後退位置にする突起部と、受座本体と操作ハンドルとの間に設けられて操作ハンドル側に延びるアームを操作軸の前端部に操作ハンドルとともにピンにより支持されたカバー部材と、操作軸の後端に設けられて枠体に設けられた受金部材と係止して扉の開放を阻止する止金部材とを備えている。
【０００３】
この二段階開放型ハンドル装置において、扉が閉じられた状態では、操作ハンドルの突起部がカム部材の第１段面に当接されて操作軸を前進位置にすることで止金部材が受金部材に係止されている。この状態から操作ハンドルをピンを中心として回動させて突起部をカム部材の第１段面から第２段面に当接させると操作軸が後退位置まで後退することで止金部材が受金部材から離れて扉が部分的に開放できる部分開放可能状態となる。この部分開放可能状態では、操作軸が軸線回りに回転可能となり、操作ハンドルにより操作軸を軸線回りに回転させることで止金部材が受金部材から外れた位置となって扉が全開放可能状態となり、操作ハンドルを手前に引くことで扉が開放される。
【０００４】
この二段階開放型ハンドル装置のカバー部材は、受座本体と操作ハンドルとの間にて操作軸に汚れが付着しないように操作軸を覆うものである。そのために、カバー部材は、前後方向に移動及び軸線回りに回転する操作軸に合わせて前後方向に移動及び軸線回りに回転するように操作軸の前端部にピンで支持されており、操作ハンドルに対しては回動可能となり、受座本体に対しては前後方向に移動可能および軸線回りに回転可能となっている。
【特許文献１】特許第４０４３０３６号公報
【発明の開示】
【発明が解決しようとする課題】
【０００５】
特許文献１の二段階開放型ハンドル装置におけるカバー部材は、アームにより操作軸の先端部にピンにより軸支されているので、部分開放可能状態で操作ハンドルにより操作軸を軸線回りに回転させたときには、カバー部材はアームの先端部から回転が伝達されることになるので、アームにねじれる力が生じてアームが破損しやすい問題があった。本発明はこのような問題を解決することを目的とする。
【課題を解決するための手段】
【０００６】
本発明は上記課題を解決するため、枠体の開口に開閉自在に設けられた扉の前面に固着された受座本体と、受座本体に設けた軸孔に前後方向に移動可能かつ回転可能に挿通された操作軸と、操作軸の前端部に軸線方向と直交する方向にピンにより回動可能に軸支されて、受座本体側にピンを中心とした円弧形の摺動面部を備えた操作ハンドルと、受座本体の前面に設けられて第１段面とこの第１段面に対して後退した第２段面とを備えたカム部材と、操作ハンドルの操作軸が挿入される操作軸挿入孔の両側で受座本体側に突出して設けられて操作ハンドルをピンを中心として回動させて第１段面に当接させたときに操作軸を前進位置にして第２段面に当接させたときに操作軸を後退位置にする突起部と、受座本体と操作ハンドルとの間に設けられ、操作ハンドルの対向面側に操作ハンドルの摺動面部と摺動可能に当接する円弧形の案内面部を備えてピンを中心に操作ハンドルに対して回動可能に支持され、操作軸とともに前進位置と後退位置との間で前後方向に移動可能に支持されたカバー部材と、操作軸の後端に設けられて枠体に設けられた受金部材と係止して扉の開放を阻止する止金部材とを備えて、操作ハンドルの突起部をカム部材の第１段面に当接させて操作軸を前進位置にすることで止金部材を受金部材に係止させて扉を開放不可状態とし、この扉の開放不可状態から操作ハンドルをピンを中心として回動させて突起部をカム部材の第２段面に当接させると操作軸が後退位置まで後退することで止金部材が受金部材から離れて扉が部分的に開放できる部分開放可能状態となり、この扉の部分開放可能状態では操作軸が軸線回りに回転可能となりこの部分開放可能状態から操作ハンドルにより操作軸を軸線回りに回転させることで止金部材が受金部材から外れた位置となって扉が全開放可能状態となる二段階開放型ハンドル装置において、カバー部材には操作ハンドル側に突出して側部に係合突部が設けられたアームと、操作ハンドルには、カバー部材側にアームが挿入されるアーム挿入凹部と、このアーム挿入凹部の側壁に係合突部が案内係合されるピンを中心とする円弧形のガイド溝とを設けたことを特徴とする二段階開放型ハンドル装置を提供するものである。
【０００７】
上記のように構成した二段階開放型ハンドル装置は、カバー部材には操作ハンドル側に突出して側部に係合突部が設けられたアームと、操作ハンドルには、カバー部材側にアームが挿入されるアーム挿入凹部と、このアーム挿入凹部の側壁に係合突部が案内係合されるピンを中心とする円弧形のガイド溝とを設けているので、カバー部材はアームの係合突部が操作ハンドルのアーム挿入凹部に形成したガイド溝に沿って案内係合されるようになり、カバー部材はアームを直接ピンに軸支されたものと比較して短くすることができ、アームの強度を上げることができる。これにより、操作ハンドルを操作軸の軸線回りに回転させてもアームが破損しにくくなる。
【０００８】
上記のように構成した二段階開放型ハンドル装置においては、カム部材は操作軸とともに軸線回りに回転するように支持され、カバー部材の案内面部にはカム部材が相対回転不能に嵌合可能な開口部を設け、部分開放可能状態となるとカバー部材の開口部にカム部材が嵌合されて操作軸の軸線回りの回転がカム部材を介してカバー部材に伝達されるようにするのが好ましく、このようにしたときには、操作ハンドルにより操作軸を軸線回りに回転させたときに、操作軸による回転は開口部に相対回転不能に嵌合されたカム部材を介してカバー部材に伝達されるので、カバー部材のアームに操作軸の軸線回りの回転による負荷が生じにくくなってアームが破損しにくくなる。
【０００９】
上記のように構成した二段階開放型ハンドル装置においては、操作ハンドルには操作軸挿入孔のピンと平行となる両側でカバー部材側から突起部を通ることなくピンを通るように形成された係止凹部と、ピンの半径方向の両側となる位置からピンと平行に形成されて係止凹部と連通する一対の脚部挿入孔と、操作ハンドルのピンの軸線方向の端部となる位置に設けられて、ピンの軸線方向の端部を覆うカバー部と、このカバー部から脚部挿入孔に延びる一対の脚部と、これら脚部の先端部に形成されて係止凹部に係止されて脚部が抜け止めされる係止突部とを備えたピンの抜け止めのためのカバーキャップとを備えるようにするのが好ましく、このようにしたときには、操作ハンドルにおけるピンの軸線方向の端部にピンの抜け止めのためのカバーキャップを設けるときに、カバーキャップの脚部の先端部の係止突部と係止させる係止凹部がカバー部材側から突起部を通ることなくピンを通るように形成されているので、突起部が係止凹部により切り欠かれることで強度不足となることはない。
【発明を実施するための最良の形態】
【００１０】
以下、本発明の二段階開放型ハンドル装置の一実施形態を図面を用いて説明する。この二段階開放型ハンドル装置１０は、スチームコンベクションオーブンの枠体Ｆの開口に開閉自在に取り付けられた扉Ｄに取り付けられたものである。二段階開放型ハンドル装置１０は、扉Ｄの前面に固着された受座本体２０と、受座本体２０に設けた軸孔２３に前後方向に移動可能かつ回転可能に挿通された操作軸３０と、操作軸３０の前端部に軸線方向と直交する方向にピン６５により回動可能に軸支されて受座本体２０側にピン６５を中心とした円弧形の摺動面部６１ａを備えた操作ハンドル６０と、受座本体２０の前面に設けられて第１段面４１とこの第１段面４１に対して後退した第２段面４２とを備えたカム部材４０と、操作ハンドル６０の操作軸３０が挿入される操作軸挿入孔６３の両側で受座本体２０側に設けられて操作ハンドル６０をピン６５を中心として回動させて第１段面４１に当接させたときに操作軸３０を前進位置にして第２段面４２に当接させたときに操作軸３０を後退位置にする突起部６６，６６と、受座本体２０と操作ハンドル６０との間に設けられ、操作ハンドル６０の対向面側に操作ハンドル６０の摺動面部６１ａと摺動可能に当接する円弧形の案内面部７０ａを備えてピン６５を中心に操作ハンドル６０に対して回動可能に支持され、操作軸３０とともに前進位置と後退位置との間で前後方向に移動可能かつ回転可能に支持されたカバー部材７０と、操作軸３０の後端に設けられて枠体Ｆに設けられた受金部材Ｆ１と係止して扉Ｄの開放を阻止する止金部材５３とを備えている。
【００１１】
二段階開放型ハンドル装置１０は、操作ハンドル６０の突起部６６，６６をカム部材４０の第１段面４１に当接させて操作軸３０を前進位置にすることで止金部材５３を受金部材Ｆ１の背面に係止させて扉Ｄを開放不可状態とする。この扉Ｄの開放不可状態から操作ハンドル６０をピン６５を中心として回動させて突起部６６，６６をカム部材４０の第２段面４２に当接させると操作軸３０が後退位置まで後退することで止金部材５３が受金部材Ｆ１から離れて扉Ｄが部分的に開放できる部分開放可能状態となる。この扉Ｄの部分開放可能状態では操作軸３０が軸線回りに回転可能となりこの部分開放可能状態から操作ハンドル６０により操作軸３０を軸線回りに回転させることで止金部材５３が受金部材Ｆ１から外れた位置となって扉Ｄが全開放可能状態となる。
【００１２】
この二段階開放型ハンドル装置１０においては、カバー部材７０には操作ハンドル６０側に突出して側部に係合突部７３，７３が設けられたアーム７２，７２と、操作ハンドル６０には、カバー部材７０側にアーム７２，７２が挿入されるアーム挿入凹部６７，６７と、このアーム挿入凹部６７，６７の側壁に係合突部７３，７３が案内係合されるピン６５を中心とする円弧形のガイド溝６７ａ，６７ａとが設けられている。以下に、この二段階開放型ハンドル装置１０について詳細な説明を記載する。
【００１３】
図１及び図２に示すように、受座本体２０は、扉Ｄの前面に固着された大径の円盤形状をした受座部２１と、この受座部２１から同心的に後方に延びる小径の軸受筒部２２とから構成されている。これら受座部２１と軸受筒部２２の中心部には、これらを貫通する軸孔２３が形成されており、この軸孔２３は、受座部２１に形成された受座部軸孔２３ａと、軸受筒部２２に形成されて受座部軸孔２３ａより有段状に拡がる軸受筒部軸孔２３ｂとからなる。受座部２１は、受座部軸孔２３ａの外周部を鍔部２４として、後述するバネ部材５０の前端を当接させるようしている。受座部２１の前面には、中心部に形成された軸孔２３の周囲に軸孔２３の直径より大きい円形状の凹部２５が前後方向に形成されている。受座部２１の前面外周縁部には、環状溝２６が前後方向に形成されている。
【００１４】
図１及び図２に示すように、軸受筒部２２の周壁後端には、第１係止溝２７とこの第１係止溝２７の後端部と連続して第１係止溝２７より円周方向に長く軸線方向に短い第２係止溝２８が形成されている。
【００１５】
図１及び図２に示すように、受座本体２０に形成された軸孔２３には、軸線方向と直交する方向の断面が小判形をした操作軸３０が前進位置と後退位置との間で前後方向に移動可能かつ回転可能に挿通されている。操作軸３０の前端部には、軸線方向と直交する方向にピン孔３１が形成されており、このピン孔３１に操作ハンドル６０が回動可能に軸支されている。操作軸３０は、後端部の軸径が前端部から中間部までの軸径と比較して有段状に拡径された大径部３２を備えている。操作軸３０の大径部３２には、半径方向に突出する係止突起３３が設けられており、操作軸３０が前進位置となるときにはこの係止突起３３は軸受筒部２２の第１係止溝２７の前端部に係合されて操作軸３０が回転不能となり、操作軸３０が後退位置となるときにはこの係止突起３３は軸受筒部２２の第１係止溝２７の後端部と第２係止溝２８内を移動可能な状態となって操作軸３０が所定角度内で回転可能となる。
【００１６】
図１に示すように、受座部２１の前面の凹部２５内には、カム部材４０が回転可能に設けられている。カム部材４０は、両側部が直線状に形成された小判形をしており、その前面に第１段面４１と、この第１段面４１に対して後退した第２段面４２と、第１段面４１と第２段面とを接続する誘導斜面４３とを備えている。カム部材４０の中心部には小判形の操作軸３０が前後方向に移動可能に挿通されており、カム部材４０は、操作軸３０の回転とともに回転されるように支持されている。
【００１７】
図１に示すように、受座本体２０の軸受筒部２２と操作軸３０との間には、操作軸３０を後方向に付勢する捻りコイルバネよりなるバネ部材５０が設けられている。バネ部材５０は、圧縮された状態で前端が受座部２１の鍔部２４の背面と圧接され、後端が操作軸３０の大径部３２により形成される半径方向の段部と圧接されることで、操作軸３０を後方向に付勢している。バネ部材５０の先端部の折曲部５１は、鍔部２４に形成された受孔２４ａに挿入され、バネ部材５０の後端部の折曲部５２は、操作軸３０の大径部３２に軸方向に形成された受孔３２ａに挿入されており、バネ部材５０は操作軸３０に捻り戻り力を付与している。
【００１８】
図２に示すように、操作軸３０の後端には、枠体Ｆに設けられた受金部材Ｆ１と係止して扉Ｄの開放を阻止する止金部材５３が設けられている。
【００１９】
図１〜図５に示すように、操作ハンドル６０は、操作軸３０の前端部に回動可能に支持される基部６１と、この基部６１から連成されたハンドル部６２とからなる。操作ハンドル６０の基部６１には、受座本体２０側から操作軸３０が挿入される操作軸挿入孔６３が形成されており、この操作軸挿入孔６３は、操作ハンドル６０をピン６５を中心に回動可能とするように受座本体２０側に円弧状に拡がって形成されている。基部６１には、操作軸挿入孔６３と直交するピン挿入孔６４が形成されている。操作ハンドル６０は、操作軸３０の前端部のピン孔３１とピン挿入孔６４を同一直線上に配置した状態となるように操作軸３０が操作軸挿入孔６３に挿入され、これら孔３１，６４に挿入されたピン６５により操作軸３０の前端部に軸線方向と直交する方向に回動可能に支持されている。
【００２０】
図１、図３〜図５に示すように、操作ハンドル６０の基部６１には、操作軸挿入孔６３の両側位置に受座本体２０側に突出する左右一対の突起部６６，６６が形成されており、これら突起部６６，６６は、操作ハンドル６０をピン６５を中心に回動させてカム部材４０の第１段面４１と当接すると操作軸３０を前進位置（図１及び図２に示す位置）にさせ、カム部材４０の第２段面４２と当接すると操作軸３０を後退位置（図６及び図７に示す位置）にさせるものである。
【００２１】
操作ハンドル６０の基部６１には、受座本体２０側にピン６５を中心とした凸円弧形の摺動面部６１ａが形成されている。図２、図４及び図５に示すように、操作ハンドル６０の基部６１には、左右一対の突起部６６，６６の対向する側の反対側の位置に左右一対のアーム挿入凹部６７，６７が形成されている。図３に示すように、これらアーム挿入凹部６７，６７には、操作軸挿入孔６３側の側壁にピン６５を中心とする円弧形のガイド溝６７ａ，６７ａが形成されている。
【００２２】
図１〜図３に示すように、受座本体２０と操作ハンドル６０との間には、これらの間の操作軸３０を覆うカバー部材７０が設けられている。カバー部材７０は、操作ハンドル６０側となる前面が操作ハンドル６０の凸円弧形の摺動面部６１ａと摺動可能に当接するピン６５を中心とする凹円弧形の案内面部７０ａを備えた円筒形状をしており、受座本体２０側となる後端を受座部２１の環状溝２６に前後方向に移動可能に支持されている。カバー部材７０の操作ハンドル６０側には、操作ハンドル６０の突起部６６，６６がカム部材４０と当接するための開口部７１が形成されている。この開口部７１は、角部をアールをつけた略矩形状の開口であり、小判型のカム部材４０の横幅より僅かに大きい横幅となっており、カム部材４０が相対回転不能に嵌合可能になっている。カバー部材７０の開口部７１の両側部には、操作ハンドル６０側に突出して各アーム挿入凹部６７，６７に挿入される一対のアーム７２，７２が設けられており、これらアーム７２，７２の先端部には、ガイド溝６７ａ，６７ａ内に案内された状態で係合される係合突部７３が形成されている。
【００２３】
図２に示すようにカバー部材７０は、両アーム７２，７２が操作ハンドル６０のアーム挿入凹部６７，６７に挿入され、アーム７２，７２の先端部の係合突部７３，７３が円弧状のガイド溝６７ａ，６７ａ内に案内されて係合されているので、操作ハンドル６０に対してピン６５を中心として回動可能に支持されるとともに、操作軸３０とともに前進位置と後退位置との間で前後方向に移動かつ回転可能となっている。
【００２４】
図２、図４及び図５に示すように、操作ハンドル６０には、操作軸挿入孔６３のピン６５と平行となる両側でカバー部材７０側から突起部６６，６６を通ることなくピン６５を通るように形成された係止凹部６９，６９と、ピン６５の半径方向の両側となる位置からピン６５と平行に形成されて係止凹部６９，６９と連通する一対の脚部挿入孔６８，６８とが形成されている。
【００２５】
図２に示すように、操作ハンドル６０の基部６１のピン６５の軸線方向の両端部となる位置には、ピン６５の軸線方向の両端部を覆うとともにピン６５の抜け止めをするカバーキャップ８０，８０が設けられている。各カバーキャップ８０は、基部６１におけるピン６５の軸線方向の端部を覆う円形のカバー部８１と、カバー部８１から基部６１側に延びて脚部挿入孔６８，６８に挿入される一対の脚部８２，８２と、脚部８２，８２の先端部に形成されて脚部挿入孔６８，６８から係止凹部６９に形成された開口部に係止されて抜け止めされる係止突部８３，８３とからなる。
【００２６】
以上のように構成した二段階開放型ハンドル装置１０の作動について説明する。図１及び図２に示すように、二段階開放型ハンドル装置１０においては、扉Ｄが枠体Ｆの開口を塞いだ状態で、操作ハンドル６０のハンドル部６２が扉Ｄと平行かつ垂直となる開放不可位置にあるときには、操作ハンドル６０の突起部６６，６６がカム部材４０の第１段面４１に当接して、操作軸３０は係止突起３３が軸受筒部２２の第１係止溝２７の前端部に係合することでバネ部材５０の付勢力に抗して前進位置となり、操作軸３０の後端に設けた止金部材５３は受金部材Ｆ１の背面に係止されて、扉Ｄが開放不可状態となる。
【００２７】
この扉Ｄの開放不可状態から、操作ハンドル６０をハンドル部６２の先端部が持ち上がるようにピン６５を中心として回動させた部分開放可能位置とすると、図６及び図７に示すように、操作ハンドル６０の突起部６６，６６は第１段面４１から誘導斜面４３を滑って第２段面４２に当接して、操作軸３０はバネ部材５０の付勢力により前進位置から後退位置まで移動し、操作軸３０の後端に設けた止金部材５３は受金部材Ｆ１から離れて、扉Ｄは操作軸３０が後退した長さだけ部分的に開放できる部分開放可能状態となる。このとき、カバー部材７０は、アーム７２，７２の先端部の係合突部７３，７３が操作ハンドル６０のガイド溝６７ａ，６７ａに案内されて操作ハンドル６０に対して回動され、操作軸３０とともに前進位置から後退位置に移動する。また、カバー部材７０の開口部７１には、カム部材４０がその両側壁と開口部７１の両側壁との間に僅かな隙間を空けて嵌合されている。
【００２８】
この扉Ｄの部分開放可能状態では、操作軸３０の係止突起３３は、軸受筒部２２の第１係止溝２７の前端部に係合して回転不能状態から軸受筒部２２の第１係止溝２７の後端部と第２係止溝２８内で移動可能な状態となって、操作軸３０は所定角度内で回転可能となっている。ハンドル部６２の先端部が持ち上がった状態で操作ハンドル６０により操作軸３０を軸線回りに所定角度回転させると、操作軸３０の後端に設けた止金部材５３は、受金部材Ｆ１から外れた位置となって、扉Ｄは完全に開放できる全開放可能状態となり、操作ハンドル６０を前側に引くことで扉Ｄが完全に開放される。操作ハンドル６０により操作軸３０を軸線回りに回転させるとき、カバー部材７０には、操作軸３０の回転が主として開口部７１に相対回転不能に嵌合したカム部材４０を介して伝達されるので、カバー部材７０のアーム７２，７２に操作軸３０を回転させるときの負荷が生じにくくなっている。
【００２９】
上記のように構成した二段階開放型ハンドル装置１０は、カバー部材７０には操作ハンドル６０側に突出して側部に係合突部７３，７３が設けられたアーム７２，７２と、操作ハンドル６０には、カバー部材７０側にアーム７２，７２が挿入されるアーム挿入凹部６７，６７と、このアーム挿入凹部６７，６７の側壁に係合突部７３，７３が案内係合されるピン６５を中心とする円弧形のガイド溝６７ａ，６７ａとを設けているので、カバー部材７０はアーム７２，７２の係合突部７３，７３が操作ハンドル６０のアーム挿入凹部６７，６７に形成したガイド溝６７ａ，６７ａに沿って案内係合されるようになり、カバー部材７０はアーム７２，７２を直接ピン６５に軸支されたものと比較してアーム７２，７２を短くすることができてアーム７２，７２の強度を上げることができ、操作ハンドル６０により操作軸３０を軸線回りに回転させてもアーム７２，７２が破損しにくくなる。
【００３０】
上記のように構成した二段階開放型ハンドル装置１０においては、カム部材４０は操作軸３０とともに軸線回りに回転するように支持され、カバー部材７０の案内面部７０ａにはカム部材４０が相対回転不能に嵌合可能な開口部７１を設け、部分開放可能状態となるとカバー部材７０の開口部７１にカム部材４０が嵌合されて操作軸３０の軸線回りの回転がカム部材４０を介してカバー部材７０に伝達されており、操作ハンドル６０により操作軸３０を軸線回りに回転させたときに、操作軸３０による回転は開口部７１に相対回転不能に嵌合されたカム部材４０を介してカバー部材７０に直接伝達されるので、カバー部材７０のアーム７２，７２に操作軸３０の軸線回りの回転による負荷が生じにくくなってアーム７２，７２が破損しにくくなる。また、カバー部材７０を射出成形により製造するときに、アーム７２，７２の先端部にピンを軸支させる孔を形成するものでは、アーム７２，７２の先端部にウェルドができて強度不足となって破損しやすかったが、アーム７２，７２の先端部には、ピン６５に軸支させる孔を形成せずに係合突部７３，７３を形成したものであるので、アーム７２，７２の先端部にピンを軸支させる孔を形成したものに比べて強度を上げることができ、長期間使用したときでも破損しにくくなって耐久性が向上することになる。また、カバー部材７０はアーム７２，７２をピン６５に直接軸支させていないので、操作ハンドル６０の基部６１は、ピン６５の近傍にアーム７２，７２を挿入するための凹部を形成する必要がなくなり、操作ハンドル６０のピン６５の近傍を小さくすることが可能となり、操作ハンドル６０の形状を変更させる自由度があがることになった。
【００３１】
上記のように構成した二段階開放型ハンドル装置１０においては、操作ハンドル６０には、操作軸挿入孔６３のピン６５と平行となる両側でカバー部材７０側から突起部６６，６６を通ることなくピン６５を通るように形成された係止凹部６９，６９と、ピン６５の半径方向の両側となる位置からピン６５と平行に形成されて係止凹部６９，６９と連通する一対の脚部挿入孔６８，６８と、操作ハンドル６０のピン６５の軸線方向の端部となる位置に設けられて、ピン６５の軸線方向の端部を覆うカバー部８１と、このカバー部８１から脚部挿入孔６８、６８に延びる一対の脚部８２，８２と、これら脚部８２，８２の先端部に形成されて係止凹部６９に係止されて脚部が抜け止めされる係止突部８３，８３とを備えたピン６５の抜け止めのためのカバーキャップ８０とを備えている。二段階開放型ハンドル装置１０は、操作ハンドル６０におけるピン６５の軸線方向の端部にピン６５の抜け止めのためのカバーキャップ８０を設けるときに、カバーキャップ８０の脚部８２，８２の先端部の係止突部８３，８３と係止させる係止凹部６９，６９がカバー部材７０側から突起部６６，６６を通ることなくピン６５を通るように形成されているので、突起部６６，６６が係止凹部６９，６９により切り欠かれることで強度不足となることはない。
【図面の簡単な説明】
【００３２】
【図１】本発明の二段階開放型ハンドル装置で開放不可状態における一部破断側断面図である。
【図２】（ａ）は、図１のＡ−Ａ線の一部破断断面図であり、（ｂ）はカバー部材の正面図である。
【図３】図２（ａ）のＢ−Ｂ線の一部破断断面図である。
【図４】操作ハンドルの一部破断断面図である。
【図５】操作ハンドルの背面図である。
【図６】部分開放可能状態のときの二段階開放型ハンドル装置の一部破断側断面図である。
【図７】図６のＣ−Ｃ線の一部破断断面図である。
【符号の説明】
【００３３】
１０…二段階開放型ハンドル装置、２０…受座本体、２３…軸孔、３０…操作軸、４０…カム部材、４１…第１段面、４２…第２段面、５３…止金部材、６０…操作ハンドル、６１ａ…摺動面部、６５…ピン、６６…突起部、６７…アーム挿入凹部、６７…ガイド溝、６８…脚部挿入孔、６９…係止凹部、７０…カバー部材、７０ａ…案内面部、７１…開口部、７２…アーム、７３…係合突部、８０…カバーキャップ、８１…カバー部、８２…脚部、８３…係止突部。
【図１】
2010090625.tif 000003
【図２】
2010090625.tif 000004
【図３】
2010090625.tif 000005
【図４】
2010090625.tif 000006
【図５】
2010090625.tif 000007
【図６】
2010090625.tif 000008
【図７】
2010090625.tif 000009